(57)【要約】【課題】ろ過材や砂等の粒状物の洗浄と固液分離を１つの装置で行う。【解決手段】移送ライン６の終端に接続された流入口１１ｅから螺旋終端１１ｆに向けて螺旋流路１１ａを形成し、螺旋流路の天井を遮蔽、底に床部１１ｃを形成し、床部に分離穴１１ｄを形成した固液分離部１１と、螺旋流路の終端に連通し鉛直上方向に延びて螺旋流路の天井よりも高い位置で液体をオーバーフローさせるオーバーフロー部１３と、固液分離部を蓋にしてその下方に備え付けられ、前記分離穴を介して螺旋流路に連通する貯留槽１４と、貯留槽内に沈降堆積した粒状物を排出する排出部１５ａと、螺旋流路の少なくとも一部領域に設けられ、液体及び粒状物の流れに障害を与えることで当該流れを乱流化して粒状物の表面付着物の剥離を促進させる流れ障害部１２と、を備える。【選択図】図１
2005305304.tif 000002
【特許請求の範囲】
【請求項１】
液体と共に粒状物を移送する移送ラインの終端に接続された外周端入口から中心部出口に向けて略水平面内で旋回する螺旋流路を形成すると共に、この螺旋流路の天井を遮蔽し且つ底に床部を形成し、更に、この床部に前記粒状物を下方へ降下させるための分離穴を形成した固液分離部と、
前記螺旋流路の中心部出口に連通すると共に、鉛直上方向に延びて螺旋流路の天井よりも高い位置で液体をオーバーフローさせるオーバーフロー部と、
前記固液分離部を蓋にして当該固液分離部の下方に備え付けられ、前記分離穴を介して前記螺旋流路に連通する貯留槽と、
この貯留槽内に沈降堆積した前記粒状物を排出する排出部と、
前記螺旋流路の少なくとも一部領域に設けられ、前記液体及び粒状物の流れに障害を与えることで当該流れを乱流化して前記粒状物の表面付着物の剥離を促進させる流れ障害部と、
を備えることを特徴とする粒状物の洗浄・固液分離装置。
【請求項２】
前記流れ障害部が、前記液体よりも比重の重い複数のチェーンを前記螺旋流路の天井から吊り下げてなることを特徴とする請求項１に記載の粒状物の洗浄・固液分離装置。
【請求項３】
前記流れ障害部が、前記液体及び粒状物の流れの中に置かれ且つ前記流れの衝突により一定領域内で遊動自在とされた複数の乱流形成部材を備えてなることを特徴とする請求項１に記載の粒状物の洗浄・固液分離装置。
【発明の詳細な説明】
【技術分野】
【０００１】
本発明は、例えば、ろ過池等のろ過材または排水池や沈砂池にて除去された砂等の粒状物を、液体（空気を含む場合もある）を利用して移送した場合の、粒状物の洗浄及び粒状物と液体との分離を行うための粒状物の洗浄・固液分離装置に関する。
【背景技術】
【０００２】
ろ過池は、支持層の上面にろ過材を敷き詰めてろ層を形成し、ろ層に原水を透過させて濁質（懸濁物質や汚泥等）を取り除く構造物である。ろ過池では、ろ層の表層に濁質が溜まるため、この表層を中心に空気洗浄や逆洗といった定期的な洗浄を行っている。しかし、ある程度の期間が経つと、濁質がろ層の内部まで潜り込み、また、ろ層自体に濁質が付着して目詰まりを誘発し、処理効率を低下させる。そのため、ろ過材を引き抜いて洗浄再生する必要がある。
【０００３】
また、排水池や沈砂池にて除去された砂等の粒状物についても、表面に濁質（懸濁物質や汚泥等）が付着したまま処分すると好ましくないため、必要に応じて洗浄を行っている。
【０００４】
その種の従来技術として、再利用を目的としてろ過砂を洗浄する砂洗浄装置が特許文献１に記載されている。また、沈砂池に堆積した汚砂を洗浄する洗浄処理装置が特許文献２に記載されている。
【特許文献１】特開平１１−５７５２６号公報
【特許文献２】特開２００２−２６３６９６号公報
【発明の開示】
【発明が解決しようとする課題】
【０００５】
ところで、この種のろ過材や砂等の粒状物は、移送時の利便性、自動化の容易性からポンプによって液体と共に配管中を移送して洗浄装置に送るのが一般的である。
【０００６】
しかし、特許文献１または特許文献２に記載の従来の洗浄装置は、あくまでも砂等の洗浄を主目的とするものであるため、砂等の固形物と移送液体との分離については不十分であった。そのため、これらの洗浄装置では、移送流体を静置させる別の槽を設けて重力沈降分離を図ったり、他の物理的手段によって強制的に固液分離を図る等の必要があった。つまり、これら従来の洗浄装置では、洗浄を行うための装置と固液分離を行うための装置とが別に必要であり、設備コスト、処理効率等の面から非効率であった。
【０００７】
本発明は、上記事情を考慮し、ろ過材や砂等の粒状物の洗浄と粒状物と液体との固液分離を１つの装置で効率良く行うことのできる粒状物の洗浄・固液分離装置を提供することを目的とする。
【課題を解決するための手段】
【０００８】
以上の課題を解決するため、請求項１の発明は、液体と共に粒状物を移送する移送ラインの終端に接続された外周端入口から中心部出口に向けて略水平面内で旋回する螺旋流路を形成すると共に、この螺旋流路の天井を遮蔽し且つ底に床部を形成し、更に、この床部に前記粒状物を下方へ降下させるための分離穴を形成した固液分離部と、前記螺旋流路の中心部出口に連通すると共に、鉛直上方向に延びて螺旋流路の天井よりも高い位置で液体をオーバーフローさせるオーバーフロー部と、前記固液分離部を蓋にして当該固液分離部の下方に備え付けられ、前記分離穴を介して前記螺旋流路に連通する貯留槽と、この貯留槽内に沈降堆積した前記粒状物を排出する排出部と、前記螺旋流路の少なくとも一部領域に設けられ、前記液体及び粒状物の流れに障害を与えることで当該流れを乱流化して前記粒状物の表面付着物の剥離を促進させる流れ障害部と、を備えることを特徴とする。
【０００９】
請求項２の発明は、請求項１において、前記流れ障害部が、前記液体よりも比重の重い複数のチェーンを前記螺旋流路の天井から吊り下げてなるものであることを特徴とする。
【００１０】
請求項３の発明は、請求項１において、前記流れ障害部が、前記液体及び粒状物の流れの中に置かれ且つ前記流れの衝突により一定領域内で遊動自在とされた複数の乱流形成部材を備えてなることを特徴とする。
【発明の効果】
【００１１】
請求項1の発明によれば、粒状物に付着した濁質（懸濁物質や汚泥等）を、流れ障害部を通過する際に積極的に粒状物から引き剥がすことができ、濁質の除去された（つまり洗浄済みの）粒状物だけを貯留槽に効率よく沈降させることができる。また、粒状物から分離した濁質は液体中に浮遊するので、液体と共にオーバーフローさせて、外部へ排出することができる。
【００１２】
即ち、一般的に砂等の粒状物そのものの比重は、粒状物に付着した濁質（懸濁物質や汚泥等）や移送液体に比較して重い。しかし、粒状物に前記汚泥等の濁質が付着していると、粒状物の容積が嵩んで、みかけ上の比重が軽くなっており、液体中を浮遊し易い状態になっている。従って、そのままでは沈降しづらい。この点、本発明のように、液体と共に粒状物が流れ下る螺旋流路に流れ障害部を設けていると、流れ障害部を通過する際に、粒状物が障害物に衝突したり、流れが乱流化したりすることにより、粒状物に付着していた濁質が積極的に引き剥がされる。従って、濁質が引き剥がされることで、粒状物の比重が本来の比重に近づき、沈み易くなる。
【００１３】
また、粒状物の自然沈降に加えて、螺旋流路を流れ下る際に遠心力が作用することで、螺旋流路の底に粒状物が沈み、沈んだ粒状物が床部の分離穴を通って貯留槽へ降下し、貯留槽の底に堆積する。貯留槽に堆積した粒状物は、排出部によって貯留槽から排出することができる。また、螺旋流路の床部は貯留槽の上部を覆っているので、貯留槽内に堆積した粒状物が再び螺旋流路側に巻き上げられることを抑制することができる。
【００１４】
このように粒状物が沈降排出されるのに対して、粒状物から分離された濁質は液体と共にそのまま浮遊するので、オーバーフローにより外部へ排出される。その結果、粒状物の洗浄（濁質の引き剥がし）と固液分離を１個の装置で効率よく行うことができる。
【００１５】
また、請求項２の発明によれば、前記流れ障害部を、複数のチェーンを吊り下げた態様としているので、チェーン自体が流れに従って自由に揺れ、この揺れが流体や粒状物に干渉し、粒状物から濁質を引き剥がす作用をなす。
【００１６】
また、請求項３の発明によれば、前記流れ障害部を、流れの衝突により一定領域内で遊動自在とされた複数の乱流形成部材を備えた態様としているので、乱流形成部材が流れに従って自由に遊動することにより乱流が形成され、その流れの乱れが粒状物から濁質を引き剥がす作用をなす。
【発明を実施するための最良の形態】
【００１７】
以下、本発明の実施形態を図面を参照して説明する。
図１は、ろ過池（例えば、急速ろ過池）のろ過材を再生するために、本発明の実施形態の粒状物の洗浄・固液分離装置を利用したシステム（以下、ろ過材洗浄システムと称する）の概略構成図である。
【００１８】
このろ過材洗浄システムは、ろ過池５と、粒状物の洗浄・固液分離装置１Ａ（以下、本実施形態では「ろ過材洗浄装置１Ａ」と称する）と、ろ過池５内に敷き詰められたろ過材５２ａを原水と共に引き抜き、ろ過材洗浄装置１Ａに送り込む移送ライン６とからなり、ろ過材洗浄装置１Ａは、原水からろ過材５２ａを分離すると共に、このろ過材５２ａを洗浄する機能を果たす。本ろ過材洗浄システムでは、ろ過材５２ａが特許請求の範囲に記載の「粒状物」に相当し、原水が「流体」に相当する。
【００１９】
ろ過材洗浄システムのろ過池５は、支持層５１の上面にろ過材５２ａ（砂やアンスラサイト等）を敷き詰めてろ層５２を形成し、このろ層５２に原水を透過させて濁質（懸濁物質や汚泥等）を取り除く構造物である。ろ過池５では、ろ層５２の表層に濁質が溜まるため、この表層を中心に空気洗浄や逆洗といった定期的な洗浄を行う。しかし、ある程度の期間が経つと濁質がろ層５２の内部まで潜り込み、また、ろ層５２自体に濁質が付着して目詰まりを誘発し、処理効率を低下させる。そのため、このろ過材５２ａを引き抜いて洗浄再生する必要がある。
【００２０】
この洗浄再生のために、ろ過材洗浄装置１Ａを利用する。具体的には、ろ層５２内に移送ライン６の吸引口６１を配置し、移送ポンプ６２を駆動して原水とろ過材５２ａとをろ過材洗浄装置１Ａに送り込む。ろ過材洗浄装置１Ａでは、このろ過材５２ａが混入した原水を固液分離部１１で受け、原水とろ過材５２ａとを分離する。また、固液分離部１１には、流れ障害部１２を設けており、一定流速で流れ込んでくる原水を、この流れ障害部１２にぶつけて流れを意図的に乱し、ろ過材５２ａに付着した濁質を引き剥がす。濁質は、原水と共にオーバーフロー部１３から流出する。
【００２１】
ろ過材５２ａは、固液分離部１１の螺旋流路１１ａを移動する途中で沈降し、貯留槽１４の底部に堆積する。このろ過材５２ａを、排出部１５Ａが貯留槽１４から排出する。その後、ろ過材５２ａは、ろ過池５（もしくは中間の貯留部等）に送られる（図示せず）。以下、このろ過材洗浄装置１Ａについて詳述する。
【００２２】
図２はろ過材洗浄装置１Ａの縦断面図、図３は図２のＡ−Ａ断面図である。ろ過材洗浄装置１Ａは、上部の固液分離部１１と下部の貯留槽１４とを備える。固液分離部１１は、水平面内で旋回する渦巻き状の螺旋流路１１ａ（図３参照）を備え、この螺旋流路１１ａの天井は蓋１１ｂで遮蔽されている。
【００２３】
図３の如く、固液分離部１１の中心から水平方向の最も外側に位置する螺旋流路１１ａ（以下、外周の螺旋流路１１ａと称する）の端部には原水の流入口（外周端入口）１１ｅがあり、この流入口１１ｅに移送ライン６の終端が接続している。
【００２４】
流入口１１ｅ付近の流路幅は、移送ライン６の径に対応させている。螺旋流路１１ａの流路幅は、流入口１１ｅ付近から徐々に拡開する。この流路幅が一定の幅になると、拡開が終了し、そのまま螺旋終端（中心部出口に相当）１１ｆに到達する。つまり、螺旋流路１１ａ内を流れる原水の流速は、流路幅の拡開によって減速し、一定の幅になったところで安定する。
【００２５】
本実施の形態では、〔流入口１１ｅ付近の幅〕：〔螺旋終端１１ｆの幅（前記一定の幅）〕は、１：２〜４である。その結果、原水の流速は、流入口１１ｅ付近で１〜２ｍ／ｓｅｃであり、螺旋終端１１ｆで０．５ｍ／ｓｅｃ程度である。
【００２６】
螺旋流路１１ａの床には、図２の如く、遠心方向に向けて鉛直下方に傾く傾斜面１１ｃを設ける。傾斜面１１ｃの遠心方向下降端（螺旋流路１１ａにおける遠心方向の壁面と近接する位置）には、螺旋流路１１ａに沿った渦巻き状のスリット穴１１ｄを形成する。螺旋流路１１ａを流れる過程で降下したろ過材５２ａは、スリット穴１１ｄに向けて傾斜面１１ｃの傾きにガイドされる。スリット穴１１ｄに到達したろ過材５２ａは、スリット穴１１ｄを抜けて、下の貯留槽１４に降下する。
【００２７】
つまり、本実施の形態では、この傾斜面１１ｃが特許請求の範囲に記載の「床部」に相当する。又、本実施の形態では、スリット穴１１ｄが、特許請求の範囲に記載の「分離穴」に相当する。なお、「床部」は、傾斜面１１ｃの形態に限定されず、フラットな面でも良い。また、谷形状とし、底の稜線部分に「分離穴」を形成することもできる。また、「分離穴」も、スリット穴１１ｄの形態に限定されず、パンチ穴その他の様々な形状でも良い。ただし、「粒状物」、つまり本実施の形態ではろ過材５２ａが通り抜けできる大きさを要する。
【００２８】
流入口１１ｅから中心に向けて渦巻き状に形成する螺旋流路１１ａは、その中心付近（螺旋終端１１ｆ）でオーバーフロー部１３に接続する。オーバーフロー部１３は、鉛直上方に立ち上がる室部であり、螺旋流路１１ａの天井である蓋１１ｂよりも高い位置で排出ライン７に接続する。つまり、螺旋流路１１ａを通ってきた原水は、このオーバーフロー部１３で排出ライン７に向けてオーバーフローする。なお、本実施の形態に係るオーバーフロー部１３の底部は、貯留槽１４に向けて完全に開放している。そのため、このオーバーフロー部１３において原水が上昇する過程で、原水に対して比重の重いろ過材５２ａは降下し、貯留槽１４に沈降堆積する。なお、このオーバーフロー部１３の底にも床部を形成し、かつ、この床部に分離穴を形成することも可能である。
【００２９】
螺旋流路１１Ａの流入口１１ｅから一定の領域Ｓ（本実施の形態では、全行程の１／３程度）には、流れ障害部１２を設けている。本実施の形態では、この一定の領域が、特許請求の範囲に記載の「一部領域」に相当する。以下、流れ障害部１２を詳述する。
【００３０】
図４は図３のＢ−Ｂ断面図である。本実施の形態に係る流れ障害部１２は、図４の如く、蓋１１ｂに複数のチェーン１２ａを吊り下げて形成する。このチェーン１２ａ、１２ａ・・の下端は自由端であり、原水の流れに応じて自由に動く。そのため、原水の流れを乱して乱流を引き起こし易い。また、原水に乗って送り込まれたろ過材５２ａがチェーン１２ａ、１２ａ・・にぶつかると、チェーン１２ａ、１２ａ・・が振れ、ろ過材５２ａの運動エネルギーを吸収する。
【００３１】
本実施の形態において「一部領域」に相当する前記一定の領域には、スリット穴１１ｄを設けていない。これは、流れ障害部１２で乱流を引き起こす関係から、濁質がスリット穴１１ｄを抜けてしまうことを防止するためである。しかし、流れ障害部１２を形成する一定の領域に、意図的にスリット穴１１ｄ等の分離穴を設けることも可能である。この場合には、流れ障害部１２を形成する一定の領域の床部に、ろ過材５２が堆積してしまう不具合を防止できる。なお、「一部領域」に「分離穴」を設けるか否かは、「流体」の流速や「粒状物」の比重等を考慮して適宜決定すれば足りる。
【００３２】
特許請求の範囲に記載する「流れ障害部」は、以上の実施の形態に限定されない。そのため、例えば、図５に示すように、原水（ろ過材５２含む）が通過可能であり、かつ、螺旋流路１１ａを流れる原水が必ず通る位置に配設された檻３１と、この檻３１の中にて移動自由に保持された複数の攪拌玉（乱流形成部材）３２とからなる流れ障害部３０とすることもできる。この場合の攪拌玉３２としては、樹脂やガラス、金属、セラミック等よりなる玉が考えられる。また、図示例の檻３１は、流れの方向に位置をずらして上下障害壁３１ａ、３１ｂを配置し、それら上下障害壁３１ａ、３１ｂを利用して網や柵等３１ｃを張ることにより、攪拌玉３２が飛び出さないように空間を囲ったものである。
【００３３】
貯留槽１４は、前述の固液分離部１１を蓋にした状態で、その下部に配設する。より具体的には、最も外側にある螺旋流路１１ａの外側壁面を真円と仮定した場合に、この真円を底面とし、下方に向けて縮径する略円錐形状をなす。貯留槽１４は、スリット穴１１ｄを介して螺旋流路１１Ａに連通する。そのため、螺旋流路１１ａを流れる原水中のろ過材５２ａは、スリット穴１１ｄを抜けて貯留槽１４に入る。また、本実施の形態では、オーバーフロー部１３の底を開放しており、貯留槽１４は、この底を介してオーバーフロー部１３とも連通する。そのため、本実施の形態では、オーバーフロー部１３で上昇する原水に対して比重の重いろ過材５２ａが降下し、貯留槽１４に入る。なお、本実施の形態の如く、貯留槽１４を略円錐形状、つまり鉛直下方に向けてテーパ状に縮径する槽形状とすれば、沈降堆積するろ過材５２ａが最下部で集積する。
【００３４】
貯留槽１４の底には、沈降堆積したろ過材５２ａを排出する排出部１５Ａを設ける。
図６は排出部の第１例、図７は排出部の第２例を示す。図６の排出部１５Ａは、貯留槽１４の最下部に付設されたスクリューコンベヤ１５ａと、スクリューコンベヤ１５ａを駆動するモータ１５ｂと、スクリューコンベヤ１５ａに接続された管路途中に設けられた弁１５ｃからなる。
【００３５】
スクリューコンベヤ１５ａのケーシング上面は貯留槽１４に向けて開放している。つまり、貯留槽１４内で沈降し、最下部で集積するろ過材５２ａは、スクリューコンベヤ１５ａ内に入り込む。図示しない制御手段によりモータ１５ｂを介してスクリューコンベヤ１５ａを駆動すると、スクリューコンベヤ１５ａの作用により半ば強制的にろ過材５２ａが貯留槽１４から排出される。なお、スクリューコンベヤ１５ａが駆動している間は、弁１５ｃは開いている。この排出部１５Ａによれば、定量の排出が可能になる。
【００３６】
一方、図７の排出部１５Ｂは、配管１５ｄと開閉弁１５ｅとからなり、開閉弁１５ｄの開閉によって、ろ過材５２ａの引き抜きや貯留を行うようになっている。
【００３７】
続いて、本システムにおけるろ過材５２ａの洗浄再生方法及びろ過材洗浄・固液分離装置１Ａの作用について説明する。
（１）ろ過材５２ａの洗浄再生が必要となる場合、ろ過池５の運転を一時停止し、ろ過池５内の原水が一定量以下となるまで排出する。
（２）続いて、移送ライン６の吸込口６１をろ層５２内に配置し、残った原水と共にろ過材５２ａを引き抜き、このろ過材５２ａを原水と共に、ろ過材洗浄装置１Ａの固液分離部１１に送り込む。
（３）固液分離部１１に送り込まれたろ過材５２ａを含んだ原水は、螺旋流路１１Ａを流れ下る間に、流れ障害部１２で流れを乱される。その結果、ろ過材５２ａに付着した濁質が剥ぎ取られる。
（４）螺旋流路１１ａを通過する間に螺旋流路１１ａの底に降下したろ過材５２ａは、傾斜面１１ｃに案内されてスリット穴１１ｄを抜け、貯留槽１４に入る。貯留槽１４内に入ったろ過材５２ａは、貯留槽１４内でさらに降下を続け、底に堆積する。
（５）一方、螺旋流路１１ａを流れ、ろ過材５２ａが取り除かれた原水は、オーバーフロー部１３まで達し、濁質とともに排出ライン７に流出する。
（６）ろ過材５２ａが、貯留槽１４の底に一定量以上堆積すると、排出部１５Ａを駆動し、ろ過材５２ａを排出する。この洗浄後のろ過材５２ａは、空になったろ過池５に敷き詰められ、ろ層５２となる。ろ層５２が形成されると、ろ過池５の復旧が完了し、再びろ過運転を開始する。
【００３８】
以上、ろ過材洗浄システムについて説明した。
続いて沈砂池から回収した砂を洗浄するために、粒状物の洗浄・固液分離装置を利用したシステム（以下、沈砂洗浄システムと称する）について説明する。図８は、沈砂洗浄システムの概略構成図である。なお、粒状物の洗浄・固液分離装置の説明において前述のろ過材洗浄装置１Ａと同様の作用を奏する実質的に同様の部材等は、同一の符号を付して詳細説明を省略する。
【００３９】
沈砂洗浄システムは、沈砂池８と、粒状物の洗浄・固液分離装置（以下、本実施の形態では、「沈砂洗浄装置１Ｂ」と称する）と、沈砂池８の貯留ピット８１から沈砂８２を吸い上げ、沈砂洗浄装置１Ｂに送り込む移送ライン６とからなり、沈砂洗浄装置１Ｂは、原水から沈砂を分離すると共に、この沈砂８２を洗浄しつつ原水と沈砂８２とを分離する機能を果たす。この沈砂洗浄システムでは、沈砂８２が特許請求の範囲に記載の「粒状物」に相当する。
【００４０】
沈砂池８は、原水の流入口側と流出口側に、それぞれ粗目スクリーン８３と細目スクリーン８４とを備える。また、沈砂池８の底には、沈砂ピット８１に沈砂８２を集積する集砂装置（図示せず）を設けている。
【００４１】
沈砂ピット８１内には、移送ライン６の吸引口６１を配置し、移送ポンプ６２を駆動して原水と沈砂８２とを沈砂洗浄装置１Ｂに送り込む。沈砂洗浄装置１Ｂでは、この沈砂８２が混入した原水を固液分離部１１で受け、原水と沈砂８２とを分離する。また、固液分離部１１には、流れ障害部１２を設けており、一定流速で流れ込んでくる原水を、この流れ障害部１２にぶつけて流れを意図的に乱し、沈砂８２に付着した濁質を引き剥がす。濁質が除かれた沈砂８２は、貯留槽１４に向けて降下し、貯留槽１４の底部に堆積する。堆積した沈砂８２は排出部１５Ａによって貯留槽１４から排出される。沈砂８２から引き剥がされた濁質は、原水とともにオーバーフロー部１３から流出する。濁質が混入する原水は、他の処理工程に送られる。
【００４２】
以上説明したように、上述したろ過材洗浄システムあるいは沈砂洗浄システムにおいては、ろ過材５２ａや沈砂８２の洗浄と固液分離とを１個のろ過材洗浄装置１Ａや沈砂洗浄装置１Ｂ（洗浄・固液分離装置）で行うことができる。従って、設備コストの低減や設備スペースの縮小を図ることができる。
【図面の簡単な説明】
【００４３】
【図１】本発明の実施形態の洗浄・固液分離装置を適用したろ過材洗浄システムの概略構成図である。
【図２】前記洗浄・固液分離装置としてのろ過材洗浄装置１Ａの縦断面図である。
【図３】図２のＡ−Ａ断面図である。
【図４】図３のＢ−Ｂ断面図である。
【図５】前記ろ過材洗浄装置１Ａにおける流れ障害部の他の例を示す図で、（ａ）は側面図、（ｂ）は斜視図である。
【図６】前記ろ過材洗浄装置１Ａの排出部の構成例を示す図である。
【図７】別の排出部の構成例を示す図である。
【図８】本発明の実施形態の洗浄・固液分離装置を適用した沈砂洗浄システムの概略構成図である。
【符号の説明】
【００４４】
１Ａ  ろ過材洗浄装置（洗浄・固液分離装置）
１Ｂ  沈砂洗浄装置（洗浄・固液分離装置）
６  移送ライン
１１  固液分離部
１１ａ  螺旋流路
１１ｂ  蓋
１１ｃ  傾斜板（床部）
１１ｄ  スリット（分離穴）
１１ｅ  流入口（外周端入口）
１１ｆ  螺旋終端（中心部出口）
１２  流れ障害部
１２ａ  チェーン
１３  オーバーフロー部
１４  貯留槽
１５Ａ，１５Ｂ  排出部
３０  流れ障害部
３２  攪拌玉（乱流形成部材）
【図１】
2005305304.tif 000003
【図２】
2005305304.tif 000004
【図３】
2005305304.tif 000005
【図４】
2005305304.tif 000006
【図５】
2005305304.tif 000007
【図６】
2005305304.tif 000008
【図７】
2005305304.tif 000009
【図８】
2005305304.tif 000010